(57)【要約】【課題】ロックピンとロック溝との位置決め精度を向上させてガタの生じない構造のレンズマウントを提供する。【解決手段】カメラマウントとバヨネット結合するレンズマウントであって、第１の位置決め部１２ｅを有する第１の固定部材１２と、カメラマウントに配置されたロックピンと係合するロック溝１５ｄを形成すると共に第２の位置決め部１５ｅ，１５ｆが形成された一対の凸状部１５ａを有し、第１の固定部材に対して位置決め固定される第２の固定部材１５と、第１の位置決め部と第２の位置決め部とによって第１の固定部材に位置決めされると共に、第１の固定部材に位置決めされた際に第２の固定部材に形成された一対の凸状部のロック溝を露呈させる第３の固定部材１１とを具備してなる。【選択図】図２
2020060646.tif 000002
【特許請求の範囲】
【請求項１】
カメラマウントとバヨネット結合するレンズマウントであって、
第１の位置決め部を有する第１の固定部材と、
上記カメラマウントに配置されたロックピンと係合するロック溝を形成すると共に第２の位置決め部が形成された一対の凸状部を有し、上記第１の固定部材に対して位置決め固定される第２の固定部材と、
上記第１の位置決め部と上記第２の位置決め部とによって上記第１の固定部材に位置決めされると共に、上記第１の固定部材に位置決めされた際に上記第２の固定部材に形成された上記一対の凸状部の上記ロック溝を露呈させる第３の固定部材と、
を具備したことを特徴とするレンズマウント。
【請求項２】
上記一対の凸状部は、互いに対向して位置することにより上記ロックピンが係合するための上記ロック溝を形成する第１の凸状部及び第２の凸状部とを有し、
上記第２の位置決め部は、上記第１の凸状部と上記第２の凸状部とに形成されていることを特徴とする請求項１記載のレンズマウント。
【請求項３】
上記第１の凸状部と上記第２の凸状部との各々は、それぞれ上記ロック溝を形成する側の壁とは反対側の突状壁のそれぞれに上記第２の位置決め部を有し、当該突状壁は上記第３の固定部材に形成された長孔の位置を位置決めすることを特徴とする請求項２記載のレンズマウント。
【請求項４】
上記第１の位置決め部は、上記第１の固定部材の外周に形成された円周状の壁であり、当該円周状の壁は上記第３の固定部材の外周の位置を位置決めして第１の位置決めが行われることを特徴とする請求項１記載のレンズマウント。
【請求項５】
上記第３の固定部材には長孔が形成され、上記一対の凸状部が上記長孔と係合することによって第２の位置決めが行われることを特徴とする請求項４記載のレンズマウント。
【請求項６】
上記第２の固定部材は上記第３の固定部材よりも硬い材質で構成されていることを特徴とする請求項1〜請求項５のうちのいずれか一項に記載のレンズマウント。
【発明の詳細な説明】
【技術分野】
【０００１】
この発明は、カメラマウントとバヨネット結合するレンズマウントに関するものである。
【背景技術】
【０００２】
従来、撮像光学系（レンズ）を備えたレンズ鏡筒を撮像装置（カメラ）本体に対して着脱自在に構成した形態のいわゆるレンズ交換式撮像装置が一般に実用化され広く普及している。
【０００３】
この種のレンズ交換式撮像装置において、装置本体に対してレンズ鏡筒を着脱自在とするための結合機構としては、例えばカメラマウントとバヨネット結合するバヨネット式のレンズマウントが一般に普及している。このバヨネット式のレンズマウントは、装置本体に対してレンズ鏡筒が装着されたときには、当該レンズ鏡筒の装着状態を維持すると共に、当該レンズ鏡筒が装置本体に対して光軸回りに回転しないように、レンズ鏡筒の回転位置を規制するためのロック機構を有しているのが普通である。
【０００４】
従来のレンズマウントにおけるロック機構は、例えば装置本体側のマウント部に設けられたロックピンを、レンズ鏡筒側のレンズマウントに設けられたロック溝に係合させることで、装置本体に対するレンズ鏡筒の光軸回りの回転を規制するように構成しているのが一般である。この場合における構成例としては、例えば光軸に沿う方向に突没自在に設けたロックピンと、当該ロックピンの突没方向に相対する面に光軸に沿う方向に向けた凹部を有して形成され、上記ロックピンを係合させるロック溝を設けて構成する。
【０００５】
このような従来の形態のレンズマウントにおけるロック機構の構成では、装置本体にレンズ鏡筒が装着された状態にあるとき、ロックピンとロック溝との係合部分に大きな外力が加わる状況がある。
【０００６】
例えば、手動フォーカス操作や手動ズーム操作等を行う場合には、各操作リングは所定の回転範囲内で回転するように構成されているのが普通である。ここで、例えば操作リングが所定の回転範囲内における一方の端部に到達しているにも関わらず、さらに当該操作リングを同じ方向へ回転させようとすると、操作リングはそれ以上回らない。したがって、この場合、操作リングへの操作力量を受けてレンズ鏡筒自体が光軸回りに回転しようとする。このとき、ロックピンとロック溝との係合部分には大きな外力が加わる。
【０００７】
また、例えば、装置本体からレンズ鏡筒を取り外す操作を行う場合には、まず、ロックピンのロック解除操作を行って、ロックピンとロック溝との係合状態を解除した上で、装置本体に対してレンズ鏡筒を光軸回りに回転させる手順とされているのが普通である。この場合において、例えば、ロックピンのロック解除操作を行わずに、若しくは不完全なロック解除操作のまま装置本体に対してレンズ鏡筒を光軸回りに回転させる力量を加えると、ロックピンとロック溝との係合部分に対して大きな外力が加わることになる。
【０００８】
このように、レンズマウントにおけるロック機構において、ロックピンとロック溝との係合部分に大きな外力が加わった場合や、装置本体と各種のレンズ鏡筒との着脱操作を繰り返し行った場合、ロックピンが当接するロック溝の開口内壁面に変形が生じたり、溝開口幅を拡張してしまうことがある。そして、当該変形が進行した場合、装置本体にレンズ鏡筒を装着したときのレンズ鏡筒の回転ロック状態を維持できないようになってしまう場合がある。
【０００９】
そこで、従来、例えばロックピンがロック溝に係合している状態で、当該係合部分に外力が加わった場合に、ロック溝の開口内壁面の変形を抑止し、またロック溝の開口幅の拡張を抑えるための工夫が、例えば特開平７−３３３７０３号公報，特開平３−２３１７２６号公報，特開平４−２４２７３号公報等によって種々提案されている。
【００１０】
上記特開平７−３３３７０３号公報，特開平３−２３１７２６号公報等によって開示されているレンズマウントは、ロック溝に相当する部分をマウント部材とは異なる別体の部品で形成すると共に、当該別体部品をロックピンよりも硬質な素材（例えば金属部品）で形成している。
【００１１】
上記特開平４−２４２７３号公報等によって開示されているレンズマウントは、ロック溝の開口幅が、当該ロック溝の最底面部幅よりも広くなるように形成している。
【先行技術文献】
【特許文献】
【００１２】
【特許文献１】特開平７−３３３７０３号公報
【特許文献２】特開平３−２３１７２６号公報
【特許文献３】特開平４−２４２７３号公報
【発明の概要】
【発明が解決しようとする課題】
【００１３】
ところが、上記特開平７−３３３７０３号公報，特開平３−２３１７２６号公報等によって開示されているレンズマウントにおいては、ロック溝を含む別体部品をマウント部の所定の部位に取り付ける場合、例えば圧入等の手段が用いられることになる。この場合、当該装置を使用しているうちに、ロックピンとロック溝との間にガタが発生し、所定のロック状態を維持できなくなってしまうという問題点がある。そして、カメラ本体とレンズ鏡筒との結合状態が使用中に外れてしまう等の問題点が生じる場合がある。
【００１４】
また、圧入によって上記別体部品を取り付ける場合、例えば他の部品に施された鍍金等の処理が剥がれてしまう等の問題が生じることがある。この場合、生産性が低下し、製造コストが高くつくという問題点がある。
【００１５】
さらに、圧入によって上記別体部品を取り付ける場合、必要とする圧入力量を確保するためには、別体部材とマウント部との嵌合長を長くとる必要がある。このことから、装置が大型化してしまうという問題点がある。
【００１６】
一方、上記特開平４−２４２７３号公報等によって開示されているレンズマウントにおいては、ロックピンとロック溝との係合部分に外力が加わってロック溝の開口壁面に変形が生じた場合、ロックピンとロック溝の開口壁面との間の寸法差が広がって、ガタが発生してしまうという問題点がある。このようなガタが発生した場合、カメラ本体とレンズ鏡筒とを確実に結合させることができなくなるという問題が生じる場合がある。
【００１７】
本発明は、上述した点に鑑みてなされたものであって、その目的とするところは、カメラマウントとバヨネット結合するレンズマウントにおいて、ロック機構におけるロック溝をマウント部材とは別体部品として構成しながら装置の小型化に寄与し得ると共に、ロックピンとロック溝との位置決め精度を向上させてガタの生じない構造のレンズマウントを提供することである。
【課題を解決するための手段】
【００１８】
上記目的を達成するために、本発明の一態様のレンズマウントは、カメラマウントとバヨネット結合するレンズマウントであって、第１の位置決め部を有する第１の固定部材と、上記カメラマウントに配置されたロックピンと係合するロック溝を形成すると共に第２の位置決め部が形成された一対の凸状部を有し、上記第１の固定部材に対して位置決め固定される第２の固定部材と、上記第１の位置決め部と上記第２の位置決め部とによって上記第１の固定部材に位置決めされると共に、上記第１の固定部材に位置決めされた際に上記第２の固定部材に形成された上記一対の凸状部の上記ロック溝を露呈させる第３の固定部材とを具備した。
【発明の効果】
【００１９】
本発明によれば、カメラマウントとバヨネット結合するレンズマウントにおいて、ロック機構におけるロック溝をマウント部材とは別体部品として構成しながら装置の小型化に寄与し得ると共に、ロックピンとロック溝との位置決め精度を向上させてガタの生じない構造のレンズマウントを提供することができる。
【図面の簡単な説明】
【００２０】
【図１】本発明の一実施形態のレンズマウントを適用したレンズ鏡筒の外観斜視図
【図２】図１のレンズ鏡筒の分解斜視図
【図３】図１の矢印［３］方向から見た矢視図
【図４】図３の矢印［４］で示す円形領域を拡大して示す要部拡大図
【図５】図５は図３のレンズマウントから一部の部材（マウントリング及び接点ユニット，固定筒）を取り外した状態を示し、図４と同じ領域を示す要部拡大図
【図６】本発明の一実施形態のレンズマウントにおけるロック機構の一部を構成するロック溝ユニットを取り出して示す外観斜視図
【発明を実施するための形態】
【００２１】
以下、図示の実施の形態によって本発明を説明する。以下の説明に用いる各図面は模式的に示すものであり、各構成要素を図面上で認識できる程度の大きさで示すために、各部材の寸法関係や縮尺等を構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００２２】
［一実施形態］
以下に説明する一実施形態は、撮像装置本体に対して着脱自在に構成され、略筒形状を有し、内部に撮像光学系を備えた一般的な形態の交換レンズ鏡筒（以下、単にレンズ鏡筒という）に適用され、いわゆるカメラマウントとバヨネット結合するレンズマウントの例示である。
【００２３】
また、本実施形態で例示するレンズマウントにおいては、カメラマウント側に設けられたロックピンを、レンズマウント側に設けられたロック溝に係合させることによって、撮像装置本体にレンズ鏡筒を装着したときのレンズ鏡筒の光軸周りの回転を規制するロック機構を構成している。このロック機構の構成自体については、従来周知の構成のものが適用されている。
【００２４】
図１〜図６は、本発明の一実施形態のレンズマウントを示す図である。このうち図１は本発明の一実施形態のレンズマウントを適用したレンズ鏡筒の外観斜視図である。図２は図１のレンズ鏡筒の分解斜視図である。なお、図２においては、レンズ鏡筒に含まれる撮像光学系等、本発明に直接関連しない一部の部材を省略して図示している。
【００２５】
図３は、図１の矢印［３］方向から見た矢視図である。即ち、図３は本発明の一実施形態のレンズマウントの平面図である。図４は図３の矢印［４］で示す円形領域を拡大して示す要部拡大図である。図５は図３のレンズマウントから一部の部材（マウントリング及び接点ユニット，固定筒）を取り外した状態を示し、図４と同じ領域を示す要部拡大図である。図６は本発明の一実施形態のレンズマウントにおけるロック機構の一部を構成するロック溝ユニットを取り出して示す外観斜視図である。
【００２６】
まず、本発明の一実施形態のレンズマウントを適用したレンズ鏡筒の概略構成について、主に図１〜図３を用いて以下に説明する。
【００２７】
本実施形態のレンズマウントを適用したレンズ鏡筒１は、主に図１〜図３に示すように、マウントリング１１（第３の固定部材）と、筒本体１２（第１の固定部材）と、固定筒１３と、接点ユニット１４と、ロック溝ユニット１５（第２の固定部材）と、撮像光学系１６（図２には不図示）等を有して構成されている。
【００２８】
マウントリング１１は、撮像装置本体側のマウント部であるカメラマウント（不図示）に対してバヨネット結合するためのレンズ鏡筒１側のマウント部である。
【００２９】
マウントリング１１は、略円環形状に形成され、主に図２に示すように、開口部１１ｄと、外向フランジ部１１ｅと、内向フランジ部１１ｆと、複数のバヨネット爪１１ｇ等を有して構成されている。
【００３０】
開口部１１ｄは、被写体光束を通過させる貫通孔である。
【００３１】
外向フランジ部１１ｅは、マウントリング１１を筒本体１２に対して固定する固定部位である。そのために、この外向フランジ部１１ｅには、複数のビス挿通孔１１ａが形成されている。そして、マウントリング１１は、複数のビス挿通孔１１ａに挿通される複数のビス２１のそれぞれを、筒本体１２の複数のビス孔１２ａのそれぞれに締結されることによって固定されている。
【００３２】
また、外向フランジ部１１ｅには、ロック溝配置孔１１ｃが形成されている。このロック溝配置孔１１ｃは、マウントリング１１の外向フランジ部１１ｅにおける周方向に長軸を有する長孔として形成されている。そして、当該ロック溝配置孔１１ｃは、マウントリング１１を筒本体１２に組み付けたときに、マウントリング１１と筒本体１２との間に設けられるロック溝ユニット１５（詳細後述）の一部（一対の凸状部１５ａ及びロック溝１５ｄ）を、マウントリング１１のマウント面から外部に露呈させるための長孔であり貫通孔である。ここで、マウント面とは、レンズ鏡筒１が撮像装置本体（不図示）に装着される際に、当該マウントリング１１がカメラマウント（不図示）側のマウント部に相対する面を指している（図３で示されている面が相当する）。
【００３３】
内向フランジ部１１ｆは、固定筒１３をマウントリング１１に対して固定する固定部位である。そのために、この内向フランジ部１１ｆには、複数のビス孔１１ｂが形成されている。そして、固定筒１３は、複数のビス２２のそれぞれを、後述する複数のビス挿通孔１３ａのそれぞれに挿通させた後に、マウントリング１１の複数のビス孔１１ｂのそれぞれに締結させることによって、当該マウントリング１１に固定されている。
【００３４】
バヨネット爪１１ｇは、カメラマウント（不図示）側のバヨネット爪（不図示）に対してバヨネット結合するための複数の爪部である。なお、マウントリング１１におけるバヨネット結合を実現するための構成は、従来のレンズ鏡筒等において適用されるものと略同様構成を有するものである。したがって、その詳細説明は省略する。
【００３５】
筒本体１２は、全体として円筒形状に形成され、内周面沿って形成される内向フランジ部１２ｄと、円周状壁部１２ｅとを有して構成される第１の固定部材である。この筒本体１２の内部には撮像光学系１６（図１，図３参照；図２には不図示）や、撮像光学系１６の一部を駆動するための駆動ユニット（不図時）等、各種の構成部材を収納している。なお、筒本体１２の内部構成については、本発明に直接関連しない部分であるので、その図示及び詳細説明は省略する。
【００３６】
筒本体１２の内向フランジ部１２ｄには、ロック溝ユニット１５（詳細後述）を、その平面上に位置決めするための位置決めピン１２ｂａ，１２ｂｂが複数（本例では２つ）設けられている。また、筒本体１２の内向フランジ部１２ｄには、同ロック溝ユニット１５（詳細後述）を筒本体１２に対して固定するための複数のビス孔１２ｃが設けられている（本例では２つ）。
【００３７】
詳細は後述するが、これにより、ロック溝ユニット１５は、筒本体１２の内向フランジ部１２ｄの平面上の所定の位置に対し、複数の位置決めピン１２ｂａ，１２ｂｂによって位置決めされた状態で、複数のビス２３のそれぞれが複数のビス孔１２ｃのそれぞれに締結されることによって筒本体１２に固定される。
【００３８】
また、円周状壁部１２ｅは、当該筒本体１２において、上記内向フランジ部１２ｄの外周に沿って形成された円周状の壁状部位である。この円周状壁部１２ｅ内には、マウントリング１１が配置される。したがって、円周状壁部１２ｅの内径寸法は、マウントリング１１が当該円周状壁部１２ｅ内部に収納され得るように、当該マウントリング１１の外径寸法と略同等で、かつマウントリング１１の外径寸法よりも若干大径となるように形成されている。
【００３９】
したがって、筒本体１２の円周状壁部１２ｅの内部にマウントリング１１（第３の固定部材）を配置したとき、円周状壁部１２ｅは、マウントリング１１の外周の位置を位置決めして第１の位置決めを行う第１の位置決め部として機能する。
【００４０】
固定筒１３は、マウントリング１１の内周側に配設される筒状部材である。この固定筒１３は、接点ユニット１４の両端を保持する固定部材である。固定筒１３は、上述したように、マウントリング１１の内向フランジ部１１ｆの複数のビス孔１１ｂに対して複数のビス２２を用いて固定されている。
【００４１】
そのために、固定筒１３には、外周面上に沿って外向フランジ部１３ｂが形成されている。この外向フランジ部１３ｂは、接点ユニット１４を配置するために、一部が切り欠かれて形成される切欠部１３ｃが設けられている。そして、当該外向けフランジ部１３ｂには、複数のビス２２をそれぞれ挿通させる複数のビス挿通孔１３ａが形成されている。
【００４２】
これにより、固定筒１３は、マウントリング１１の内周側に配設される際には、外向フランジ部１３ｂが当該マウントリング１１の内向フランジ部１１ｆに対向するように配置される。そして、この状態で、固定筒１３の複数のビス挿通孔１３ａのそれぞれに複数のビス２２のそれぞれを挿通した後、当該複数のビス２２のそれぞれは、マウントリング１１の内向フランジ部１１ｆの複数のビス孔１１ｂのそれぞれに締結されることによって、固定筒１３は、マウントリング１１に固定される。
【００４３】
接点ユニット１４は、複数の電子接点１４ａを有して構成される電気部品である。この接点ユニット１４は、レンズ鏡筒１が撮像装置本体（不図示）に対して装着されたときに、レンズ鏡筒１と撮像装置本体との間で電気的な接続を確保して、各種の通信等を行うために設けられている。そのために、これら複数の電子接点１４ａは、レンズ鏡筒１の内部に設けられる電子回路（不図示）から延設されるフレキシブルプリント基板（不図示）に対し内部において電気的に接続されている。
【００４４】
接点ユニット１４は、マウントリング１１の内周面に沿うようにして、固定筒１３の切欠部１３ｃに配置されている。この状態で、接点ユニット１４の両端は、固定筒１３の固定部に対して固定保持されている。そして、接点ユニット１４は、マウントリング１１の外周側から内周に向けて穿設されたビス挿通孔（不図示）に挿通されたビス（不図示）を用いて固定されている。
【００４５】
次に、ロック溝ユニット１５について詳述する。ロック溝ユニット１５は、カメラマウント（不図示）側に配置されたロックピン（不図示；ロック機構の一部）と係合するロック溝１５ｄ（ロック機構の一部）を形成すると共に、後述する第２の位置決め部である突状壁（１５ｅ，１５ｆ）を有して形成され、筒本体１２（第１の固定部材）に対して所定の手段で位置決め固定される第２の固定部材である。
【００４６】
ロック溝ユニット１５は、マウントリング１１とは別体に別部品として構成されている。そして、当該ロック溝ユニット１５は、マウントリング１１よりも硬い材質の部材を用いて形成されている。
【００４７】
上述したように、ロック溝ユニット１５は、筒本体１２の内向フランジ部１２ｄの平面上の所定の位置に位置決めされた状態で固定されている。そのために、ロック溝ユニット１５には、図６に示すように、位置決め用嵌合部としての嵌合孔１５ｂａと、切欠部１５ｂｂと、複数のビス挿通孔１５ｃが形成されている。
【００４８】
そして、図５に示すように、嵌合孔１５ｂａ及び切欠部１５ｂｂに対して、筒本体１２の内向フランジ部１２ｄの位置決めピン１２ｂａ，１２ｂｂのそれぞれが嵌合する。これにより、ロック溝ユニット１５は、筒本体１２の内向フランジ部１２ｄの平面上の所定の位置に位置決めされる。
【００４９】
このようにして、ロック溝ユニット１５が筒本体１２に対して位置決めされた状態で、図５に示すように、複数のビス挿通孔１５ｃのそれぞれに複数のビス２３が挿通され、筒本体１２の複数のビス孔１２ｃのそれぞれに締結される。これによって、ロック溝ユニット１５は、筒本体１２の内向フランジ部１２ｄの平面上に固定される。
【００５０】
さらに、ロック溝ユニット１５は、図６に示すように、一対の凸状部１５ａを有して形成されている。この一対の凸状部１５ａは、所定の間隔を置いて互いに対向して配置される第１凸状部１５ａａと第２凸状部１５ａｂとによって構成されている。そして、第１凸状部１５ａａと第２凸状部１５ａｂとの間には、カメラマウント（不図示）側に配置されたロックピン（不図示）と係合するロック溝１５ｄを形成している。
【００５１】
ここで、ロック溝１５ｄは、一対の凸状部１５ａにおける第１凸状部１５ａａと第２凸状部１５ａｂとの相対する壁によって形成されている。そして、当該ロック溝１５ｄは、マウントリング１１の周方向に対して略直交する方向に延びる溝として形成されている。
【００５２】
そして、ロック溝ユニット１５が筒本体１２の内向フランジ部１２ｄに位置決め固定された状態で、筒本体１２の円周状壁部１２ｅに対しマウントリング１１が、当該ロック溝ユニット１５を覆うようにして配置されている。これにより、上述したように、マウントリング１１は、外周の位置が円周状壁部１２ｅによって位置決めされる（第１の位置決め）。
【００５３】
さらに、このとき、ロック溝ユニット１５の一対の凸状部１５ａは、マウントリング１１のロック溝配置孔１１ｃ（長孔）に係合している。これによって、マウントリング１１の回転方向の移動は、一対の凸状部１５ａによって規制され、当該マウントリング１１の回転方向の位置決めがなされる（第２の位置決め）。
【００５４】
即ち、この状態においては、一対の凸状部１５ａにおける第１凸状部１５ａａと第２凸状部１５ａｂとの各々は、ロック溝ユニット１５のロック溝１５ｄを形成する側の壁とは反対側の突状壁（１５ｅ，１５ｆ）のそれぞれがマウントリング１１（第３の固定部材）のロック溝配置孔１１ｃ（長孔）の内縁に当接している。これによって、一対の凸状部１５ａは、当該ロック溝配置孔１１ｃの位置、即ちマウントリング１１の回転方向の位置決めをしている。つまり、このとき、一対の凸状部１５ａにおける第１凸状部１５ａａと第２凸状部１５ａｂとに形成されている突状壁１５ｅ，１５ｆは、第２の位置決め部として機能している。
【００５５】
ここで、突状壁１５ｅ，１５ｆは、ロック溝１５ｄを形成する側の壁と並行に延びる壁である。ロック溝１５ｄは、上述したように、マウントリング１１の周方向に対して略直交する方向に延びる溝である。したがって、突状壁１５ｅ，１５ｆも、マウントリング１１の周方向に対して略直交する方向に延びる壁として形成されている。
【００５６】
このような構成により、マウントリング１１（第３の固定部材）は、外周が筒本体１２の円周状壁部１２ｅ（第１の位置決め部）により筒本体１２に対して位置決めされる（第１の位置決め）と共に、ロック溝配置孔１１ｃが突状壁１５ｅ，１５ｆ（第２の位置決め部）によって、筒本体１２（第１の固定部材）に対して位置決めされる（第２の位置決め）。
【００５７】
このように、マウントリング１１は、筒本体１２（第１の固定部材）に対して位置決めされた状態とされる。この状態で、ロック溝ユニット１５（第２の固定部材）に形成された一対の凸状部１５ａのロック溝１５ｄは、マウント面のロック溝配置孔１１ｃから外部に露呈するように構成されている。これにより、レンズ鏡筒１側のレンズマウントとカメラ本体側のカメラマウント（不図示）とがバヨネット結合する際には、レンズマウント側のロック溝１５ｄに、カメラマウント側のロックピン（不図示）が係合するようになっている。
【００５８】
即ち、本実施形態のレンズマウントは、カメラマウント（不図示）とバヨネット結合するレンズマウントであって、円周状壁部１２ｅ（第１の位置決め部）を有する筒本体１２（第１の固定部材）と、カメラマウントに配置されたロックピン（不図示）と係合するロック溝１５ｄを形成すると共に突状壁１５ｅ，１５ｆ（第２の位置決め部）が形成された一対の凸状部１５ａを有し、筒本体１２（第１の固定部材）に対して位置決め固定されるロック溝ユニット１５（第２の固定部材）と、円周状壁部１２ｅ（第１の位置決め部）と突状壁１５ｅ，１５ｆ（第２の位置決め部）とによって筒本体１２（第１の固定部材）に位置決めされると共に、筒本体１２（第１の固定部材）に位置決めされた際にロック溝ユニット１５（第２の固定部材）に形成された一対の凸状部１５ａのロック溝１５ｄを露呈させるマウントリング１１（第３の固定部材）とを具備して構成している。
【００５９】
この構成において、一対の凸状部１５ａは、互いに対向して位置することによりロックピン（不図示）が係合するためのロック溝１５ｄを形成する第１凸状部１５ａａ及び第２凸状部１５ａｂとを有している。また、第１凸状部１５ａａには突状壁１５ｅ（第２の位置決め部の一部）が、第２凸状部１５ａｂには、突状壁１５ｆ（第２の位置決め部の他の一部）が形成されている。
【００６０】
ここで、突状壁１５ｅ，１５ｆ（第２の位置決め部）は、第１凸状部１５ａａと第２凸状部１５ａｂとがロック溝１５ｄを形成する側の壁とは反対側に形成されている。そして、突状壁１５ｅ，１５ｆは、マウントリング１１（第３の固定部材）に形成されたロック溝配置孔１１ｃ（長孔）の位置を位置決めする。
【００６１】
また、円周状壁部１２ｅ（第１の位置決め部）は、筒本体１２（第１の固定部材）の外周に形成されている。当該円周状壁部１２ｅは、マウントリング１１（第３の固定部材）の外周の位置を位置決めして第１の位置決めを行う。
【００６２】
そして、マウントリング１１（第３の固定部材）に形成されたロック溝配置孔１１ｃ（長孔）に、ロック溝ユニット１５（第２の固定部材）の一対の凸状部１５ａが係合することによって第２の位置決めが行われる。
【００６３】
この場合において、ロック溝ユニット１５（第２の固定部材）はマウントリング１１（第３の固定部材）よりも硬い材質で構成されている。
【００６４】
以上説明した本実施形態によれば、レンズマウントを構成するマウントリング１１（第３の固定部材）は、円周状壁部１２ｅ（第１の位置決め部）によって外周の位置が位置決めされる（第１の位置決め）と同時に、突状壁１５ｅ，１５ｆ（第２の位置決め部）によってロック溝配置孔１１ｃ（長孔）の位置が位置決めされる（第２の位置決め）。
【００６５】
このように、マウントリング１１を複数の位置決め部によって位置決めするように構成したので、カメラマウント側のロックピン（不図示）とロック溝ユニット１５のロック溝１５ｄとの係合部分に大きな外力が加わったとしても、当該係合部分の変形を抑止することができ、よって、ロックピン（不図示）とロック溝１５ｄとの間にガタが生じることを抑止することができる。
【００６６】
また、カメラマウント側のロックピン（不図示）とロック溝１５ｄとを係合状態としたときに、ロックピン（不図示）に係合するロック溝１５ｄは、マウントリング１１の回転規制を行っている。したがって、マウントリング１１が回転してレンズ鏡筒１が全体として光軸回りに回転することを抑止できる。
【００６７】
つまり、マウントリング１１の位置決めを精度良く確実に行うことができるので、ロックピン（不図示）とロック溝１５ｄとの間に生じるガタの発生を抑止できる。
【００６８】
また、ロック溝ユニット１５（第２の固定部材）はマウントリング１１（第３の固定部材）とは別体に別部品として構成すると共に、ロック溝ユニット１５（第２の固定部材）は筒本体１２（第１の固定部材）とマウントリング１１（第３の固定部材）との間に挟まれるように配設したので、装置が大型化することを抑止することができる。
【００６９】
さらに、ロック溝ユニット１５は、マウントリング１１よりも硬い材質の部材を用いて形成したので、カメラマウント側のロックピン（不図示）がロック溝ユニット１５のロック溝１５ｄに係合しているときに、当該係合部分に大きな外力が加わったとしても、ロック溝１５ｄの変形を抑止することができる。
【００７０】
本発明の一実施形態においては、本発明のレンズマウントを適用し得る機器の一例として、レンズ交換式の撮像装置における交換用レンズ鏡筒を示して説明しているが、本発明のレンズマウントを適用し得る機器としては、上述のレンズ交換式撮像装置に限られることはない。即ち、バヨネット結合で接続される機器同士の間に介在するマウント装置におけるマウントロック機構に対して広く適用することができる。
【００７１】
本発明のレンズマウントは、本実施形態で例示されるレンズ鏡筒のみに限らず、例えば、撮像装置本体に着脱自在に構成され略筒形状を有する形態のアクセサリ類であって、例えばリアコンバージョンレンズ（テレコンバーター）や接写用中間リング（エクステンションチューブ）又はレンズアダプター等に対しても全く同様に適用することができる。
【００７２】
本発明は上述した実施形態に限定されるものではなく、発明の主旨を逸脱しない範囲内において種々の変形や応用を実施することができることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【符号の説明】
【００７３】
１……レンズ鏡筒
１１……マウントリング
１１ａ……ビス挿通孔
１１ｂ……ビス孔
１１ｃ……ロック溝配置孔
１１ｄ……開口部
１１ｅ……外向フランジ部
１１ｆ……内向フランジ部
１１ｇ……バヨネット爪
１２……筒本体
１２ａ……ビス孔
１２ｂａ，１２ｂｂ……位置決めピン
１２ｃ……ビス孔
１２ｄ……内向フランジ部
１２ｅ……円周状壁部
１３……固定筒
１３ａ……ビス挿通孔
１３ｂ……外向フランジ部
１３ｂ……フランジ部
１３ｃ……切欠部
１４……接点ユニット
１４ａ……電子接点
１５……ロック溝ユニット
１５ａ……凸状部
１５ａａ……第１凸状部
１５ａｂ……第２凸状部
１５ｂａ……嵌合孔
１５ｂｂ……切欠部
１５ｃ……ビス挿通孔
１５ｄ……ロック溝
１５ｅ，１５ｆ……突状壁
１６……撮像光学系
２１，２２，２３……ビス
【図１】
2020060646.tif 000003
【図２】
2020060646.tif 000004
【図３】
2020060646.tif 000005
【図４】
2020060646.tif 000006
【図５】
2020060646.tif 000007
【図６】
2020060646.tif 000008